(57)【要約】【課題】取手が不要となり、美観的に優れたかご操作盤を得る。【解決手段】この発明に係るかご操作盤は、裏面に収納ボックスが設けられた盤本体と、この盤本体の表面に一端部が露出して盤本体に固定された錠と、この錠の他端部に固定され一片部５ａおよび他片部５ｂにより構成されたＬ字状の係止部材５と、盤本体に回動可能に設けられ収納ボックスの開口部を覆った扉と、この扉の裏面に固定され係止部材５の他片部５ｂが挿入される被係止孔１１ａが形成されているとともに、一片部５ａが当接する傾斜面１１ｂが形成されている被係止部材８とを備え、扉は、被係止孔１１ａに他片部５ｂが挿入されて閉じられており、錠に挿入された鍵が回動されることで一片部５ａが傾斜面１１ｂを押圧して開けられるようになっている。【選択図】図４
2005112570.tif 000002
【特許請求の範囲】
【請求項１】
裏面に収納ボックスが設けられた盤本体と、
この盤本体の表面に一端部が露出して盤本体に固定された錠と、
この錠の他端部に固定され一片部および他片部により構成された係止部材と、
前記盤本体に回動可能に設けられ前記収納ボックスの開口部を覆った扉と、
この扉の裏面に固定され前記係止部材の前記他片部が挿入される被係止孔が形成されているとともに、前記一片部が当接する傾斜面が形成されている被係止部材と
を備え、
前記扉は、前記被係止孔に前記他片部が挿入されて閉じられており、前記錠に挿入された鍵が回動されることで前記一片部が前記傾斜面を押圧して開けられるようになっているかご操作盤。
【請求項２】
前記扉は、前記盤本体に対して上下方向に起伏可能であって、前記扉の上側に前記係止部材が設けられ、前記扉の端部に前記被係止部材が設けられている請求項１に記載のかご操作盤。
【請求項３】
前記係止部材は、Ｌ字状である請求項１または請求項２に記載のかご操作盤。
【発明の詳細な説明】
【技術分野】
【０００１】
この発明は、例えば保守点検のために必要な各種スイッチが収納された収納ボックスの開口部を開閉する扉を備えたかご操作盤に関するものである。
【背景技術】
【０００２】
従来、鍵を錠に差し込んでレバーを水平方向に倒し、解錠状態にした後扉を回動させて収納ボックスの開口部を開放し、保守点検終了後には扉を逆方向に回動させて収納ボックスの開口部を閉じた後、鍵を錠に差し込んでレバーを直立させ、施錠状態にするかご操作盤が知られている（例えば、特許文献１参照）。
【０００３】
【特許文献１】特開２００３−１６０２８８号公報
【発明の開示】
【発明が解決しようとする課題】
【０００４】
従来のかご操作盤では、扉を開けようとして鍵を回動させようとした場合、鍵の回動で解錠はされるものの、その後、扉を円滑に開けるようにするには、例えば取手を扉の表面に設けなければならず、部品点数が多くなり、また美観が良くないという問題点があった。
【０００５】
この発明は、上記のような問題点を解決するためになされたもので、取手が不要となり、美観的に優れたかご操作盤を得ることを目的とする。
【課題を解決するための手段】
【０００６】
この発明に係るかご操作盤は、裏面に収納ボックスが設けられた盤本体と、この盤本体の表面に一端部が露出して盤本体に固定された錠と、この錠の他端部に固定され一片部および他片部により構成された係止部材と、前記盤本体に回動可能に設けられ前記収納ボックスの開口部を覆った扉と、この扉の裏面に固定され前記係止部材の前記他片部が挿入される被係止孔が形成されているとともに、前記一片部が当接する傾斜面が形成されている被係止部材とを備え、前記扉は、前記被係止孔に前記他片部が挿入されて閉じられており、前記錠に挿入された鍵が回動されることで前記一片部が前記傾斜面を押圧して開けられるようになっている。
【発明の効果】
【０００７】
この発明のかご操作盤では、取手が不要となり、美観も向上する。
【発明を実施するための最良の形態】
【０００８】
図１はこの発明の実施の形態のかご操作盤１の部分正面図、図２は図１のＩＩ−ＩＩ線に沿った矢視断面図、図３は図１のＩＩＩ−ＩＩＩ線に沿った矢視断面図である。
かご室の袖の壁に設けられたかご操作盤１は、盤本体２の裏面下部に設けられた収納ボックス３と、盤本体２の表面に一端部が露出して盤本体２に固定された円柱状の錠４と、この錠４の他端部に固定されたＬ字状の係止部材５と、盤本体２に対して起倒可能に設けられ起立したときに収納ボックス３の前面を覆った扉７と、この扉７の端部に固定された被係止部材８と、扉７の下端部に設けられた一対の軸６とを備えている。
金属製の前記係止部材５は、一片部５ａと他片部５ｂとから構成されており、図４に示すように一片部５ａと他片部５ｂとが交差する領域に貫通孔９が形成されており、この貫通孔９に錠４の回動軸４ａが貫通、固定されている。
金属製で断面Ｌ字形状の前記被係止部材８は、図４に示すように扉７の裏面に固定された平板状の基礎部１０と、この基礎部１０に対して直角に折曲された平板状の被係止部１１とから構成されている。被係止部１１の中間部には、係止部材５が回動して他片部５ｂが挿入される被係止孔１１ａが形成されており、また被係止部１１の隅部には傾斜面１１ｂが形成されている。
前記軸６は、収納ボックス３に固定された第１のＬ字金具１２ａと扉７に固定された第２のＬ字金具１２ｂとにより支持されている。
【０００９】
次に、上記構成のかご操作盤の動作について説明する。
通常、扉７が収納ボックス３の開口部を覆っているときには、錠４に固定された係止部材５の他片部５ｂが被係止部材８の被係止孔１１ａに挿入されており、扉７は開かないようになっている。
保守点検のために、収納ボックス３内の各種スイッチの操作が必要なとき、管理者は扉７を開ける必要性があるが、扉７を開けるためには錠４に鍵（図示せず）を挿入し、鍵を図１において反時計方向に回動させる。鍵の回動に伴って、錠４の回動軸４ａが回動するので、回動軸４ａに固定された係止部材５も反時計方向に回動し、他片部５ｂは被係止孔１１ａから離れる。
さらに、鍵を反時計方向に回動させることで、係止部材５の一片部５ａの端部が、被係止部１１の傾斜面１１ｂに当接し、その後傾斜面１１ｂに沿って移動すると同時に被係止部材８を扉７の開き方向に押圧する。そのため、扉７は、軸６を中心にして回動し、扉７の開放途中からは扉７の自重により回動し、鍵を反時計方向に回動させる一操作で、扉７は図３に示すように開けられる。
このように、係止部材５の一片部５ａが被係止部材１１の傾斜面１１ｂを押圧することで、その押圧力の分力を利用して扉７が開くようになっている。その分力は、傾斜面１１ｂの傾斜角度θで変動可能であり、扉７が開く方向の力を大きくしようとした場合には、θの値を大きくすればよい。
【００１０】
管理者は、保守、点検が終了した後、扉７を閉じる方向に回動させるが、扉７の閉じる直前では被係止部材８の傾斜面１１ｂが係止部材５の一片部５ａに当接し、それ以上は回動しない。その後、鍵を図１において時計方向に回動させることで、扉７がより閉じる方向に回動可能となり、扉７が完全に閉じられた時点では、係止部材５の他片部５ｂが被係止部材８の被係止孔１１ａに挿入され、扉７は施錠される。
【００１１】
以上説明したように、この実施の形態によるかご操作盤によれば、鍵を反時計方向に回動させることで、扉７は、軸６を中心にして回動し、その先端面が盤本体２の表面から突出するようになっており、わざわざ取手を扉７に取り付けることなく扉７を簡単に開けることができるとともに、それだけ美観が向上する。
また、扉７は、盤本体２に対して上下方向に起伏可能であって、扉７の上側に係止部材５が設けられ、扉７の端部に被係止部材８が設けられているので、扉７の開放途中からは扉７の自重により回動し、鍵を反時計方向に回動させる一操作で、扉７を完全に開けることが可能となる。
また、鍵が反時計方向に回動された状態で扉７を閉じようとした場合、係止部材５の一片部５ａに被係止部材８の被係止部１１の先端面が当接するので、扉７は閉まるようなことはなく、扉７が閉じられた時点で、扉７は確実に施錠される。
また、係止部材５はＬ字形状で簡単な構成であり、例えば打ち抜き加工で簡単に製造される。
【００１２】
なお、上記実施の形態では、扉７は上下方向に対して起伏可能であったが、この発明は、左右方向に起伏可能な扉を有するかご操作盤にも適用することができるのは勿論である。また、係止部材の形状はＬ字形状で限定されるものではなく、例えば逆Ｖ字形状であってもよい。
【図面の簡単な説明】
【００１３】
【図１】この発明の実施の形態のかご操作盤１の部分正面図である。
【図２】図１のかご操作盤のＩＩ−ＩＩ線に沿った矢視断面図である。
【図３】図１のかご操作盤のＩＩＩ−ＩＩＩ線に沿った矢視断面図である。
【図４】図１の係止部材と被係止部材との位置関係を示した分解斜視図である。
【符号の説明】
【００１４】
１  かご操作盤、２  盤本体、３  収納ボックス、４  錠、５  係止部材、５ａ  一片部、５ｂ  他片部、７  扉、８  被係止部材、１１ｂ  傾斜面。
【図１】
2005112570.tif 000003
【図２】
2005112570.tif 000004
【図３】
2005112570.tif 000005
【図４】
2005112570.tif 000006